【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
ユーザの顔、頭、首、および／または肩の一部の状態を測定するように構成される少なくとも１つのセンサと、
前記少なくとも１つのセンサによって生成された、状態の部分的な固有測定値の少なくとも１つを、少なくとも１つのシンボリック値に変換し、前記少なくとも１つのシンボリック値の少なくとも１つを、少なくとも１つのコンピューティングデバイスの少なくとも１つのコンポーネントおよび／または挙動を変更する少なくとも１つのプロセッサに入力するよう構成される変換回路と、
を備えるシステム。
【請求項２】
前記変換回路が、「特定用途向け集積回路（ＡＳＩＣ）」である、請求項１に記載のシステム。
【請求項３】
前記変換回路は、ルックアップテーブルを利用し、前記ルックアップテーブルから、前記対応するシンボリック値を検索するために各有効なセンサの状態測定値をキーとして使用する、請求項１に記載のシステム。
【請求項４】
前記変換回路は、埋込プロセッサおよびメモリを使用して、各有効なセンサの状態測定値から、前記有効なセンサの状態測定値が発見された範囲内の有効なセンサの状態測定値の予め定義された部分的な範囲のインデックスを計算し、前記インデックスをキーとして使用して、前記対応するシンボリック値を、キーと値とのペアのテーブルから検索する、請求項１に記載のシステム。
【請求項５】
前記少なくとも１つのプロセッサが、構成要素および／または動作を変更する前記少なくとも１つのコンピューティングデバイスの少なくとも１つのプロセッサである、請求項１に記載のシステム。
【請求項６】
前記コンピューティングデバイスが、少なくともテキストエディタの機能を、又は、画像編集プログラムの機能、又は、オンラインマルチプレイヤーゲームの機能を提供する、請求項１に記載のシステム。
【請求項７】
前記変換回路が、前記少なくとも１つのプロセッサを含むか、または前記少なくとも１つのプロセッサに含まれるか、又は、前記センサ内に配置される、請求項１に記載のシステム。
【請求項８】
前記少なくとも１つのセンサが、カメラである、請求項７に記載のシステム。
【請求項９】
前記コンピューティングデバイスが、パーソナルコンピューティングデバイスである、請求項１に記載のシステム。
【請求項１０】
前記パーソナルコンピューティングデバイスが、スマートフォン、又は、ラップトップ、またはタブレットコンピュータである、請求項９に記載のシステム。
【請求項１１】
前記センサが、前記シンボリック値の前記数値識別子を、例えば、Ｗｉ−Ｆｉを介して、前記コンピューティングデバイスに無線で送信する、請求項７に記載のシステム。
【請求項１２】
前記センサが、ユーザの顔の一部の前記状態を測定するようにのみ構成される、請求項１に記載のシステム。
【請求項１３】
前記変換回路が、別個の瞬時に集められた状態測定値を繰り返し変換するよう構成される、又は、有効なシンボリック値を、同シンボリック値が少なくとも２回連続して生成された後に前記少なくとも１つのプロセッサのみに入力するよう構成される、請求項１に記載のシステム。
【請求項１４】
１つまたは複数のセンサの状態測定値の特定のセットに関して、１つまたは複数のセンサの状態測定値の前記同じセットが変換されるときはいつでも、前記変換回路によって生成される前記シンボリック値が同じである、請求項１３に記載のシステム。
【請求項１５】
前記少なくとも２回は、少なくとも３回である、請求項１３に記載のシステム。
【請求項１６】
前記少なくとも１つのセンサの少なくとも１つが、ほぼ一定の周波数によって特徴付けられる周期で測定値を生成する、請求項１に記載のシステム。
【請求項１７】
前記ほぼ一定の周波数が、少なくとも１つのカメラのフレームレートにほぼ等しい、請求項１６に記載のシステム。
【請求項１８】
前記少なくとも１つのセンサが、少なくとも１つの画像を生成する少なくとも１つのカメラを含む、請求項１に記載のシステム。
【請求項１９】
前記少なくとも１つのカメラが、光を捕捉し、少なくとも１つの「赤外線」波長に対応する画像を生成する、若しくは、前記少なくとも１つのカメラが、撮影された物体の立体画像および／または３次元モデルを生成する、請求項１８に記載のシステム。
【請求項２０】
ユーザの顔、頭、首、および／または肩の一部の前記状態が、前記ユーザの顔、頭、首、または肩の少なくとも１対の外部特徴の間の少なくとも１つの距離に関して測定される、請求項１に記載のシステム。
【請求項２１】
前記少なくとも１対の外部特徴の少なくとも１つは、それぞれ、左または右の眉毛ならびに左または右の眼角である、若しくは、それぞれ、左または右の上まぶた、および左または右の下まぶたである、若しくは、上唇および下唇である、請求項２０に記載のシステム。
【請求項２２】
ユーザの顔、頭、首、および／または肩の一部の前記状態が、前記少なくとも１人のユーザの少なくとも１人の前記頭および身体の縦軸の公称アラインメントに対して、前記少なくとも１人のユーザの少なくとも１人の前記頭の左右の傾きにおける少なくとも１つの角度に対して測定される、
若しくは、前記少なくとも１人のユーザの少なくとも１人の前記頭および身体の縦軸の公称アラインメントに対して、前記少なくとも１人のユーザの少なくとも１人の前記頭の前後の傾きにおける少なくとも１つの角度に対して測定される、
若しくは、前記少なくとも１人のユーザのうちの前記少なくとも１人の前記頭の前方方向に対して、前記少なくとも１人のユーザのうちの前記少なくとも１人の前記頭の少なくとも１つの回転角度に対して測定される、
若しくは、前記少なくとも１人のユーザの少なくとも１人の少なくとも一方の頬が膨らむか、または凹んだ程度の少なくとも１つの尺度に対して測定される、
若しくは、前記少なくとも１人のユーザの少なくとも１人の少なくとも１つの舌が前記少なくとも１人のユーザの前記少なくとも１人の前記口から突き出されている程度の少なくとも１つの尺度に対して測定される、
若しくは、前記少なくとも１人のユーザの少なくとも１人の少なくとも一方の肩が      「すくめられている」程度の少なくとも１つの尺度に対して測定される、
若しくは、前記少なくとも１人のユーザのうちの少なくとも１人の少なくとも１対の鼻孔の総断面積または平均断面面積の少なくとも１つの尺度に対して測定される、
若しくは、前記少なくとも１人のユーザの少なくとも１人の少なくとも１つの神経の神経支配の少なくとも１つの尺度に対して測定される、
若しくは、前記少なくとも１人のユーザの少なくとも１人の少なくとも１つの筋肉の収縮の少なくとも１つの尺度に対して測定される、請求項１に記載のシステム。
【請求項２３】
前記少なくとも１つの筋肉が、前記少なくとも１人のユーザの少なくとも１人の前記顔、頭、首、および／または少なくとも一方の肩に少なくとも部分的にある、請求項２２に記載のシステム。
【請求項２４】
前記少なくとも１つのシンボリック値の少なくとも１つが、英数字である、又は、数字である、又は、句読文字である、又は、音符である、又は、コードである、又は、デジタル画像である、又は、単語である、又は、フレーズである、又は、前記システムの少なくとも１つの挙動の少なくとも１つの態様を変更することができるコマンドの識別子である、請求項１に記載のシステム。
【請求項２５】
前記少なくとも１つの挙動が、前記システムの出力デバイスのうちの少なくとも１つに表示される少なくとも１つのピクセルの色の変化である、
又は、前記システムの少なくとも１つのスピーカによる音の放出の変化である、
又は、少なくとも１つの文字の変更、または前記システムのディスプレイの少なくとも１つへの少なくとも１つの文字の追加である、
又は、少なくとも１つのデジタル画像もしくはグラフィックの変更、または前記システムのディスプレイの少なくとも１つへの少なくとも１つのデジタル画像もしくはグラフィックの追加である、
又は、少なくとも部分的に金融口座について記述する情報への前記ユーザのアクセスを可能にするために、前記デバイスの少なくとも１つのユーザインターフェースを変更することである、
又は、前記ユーザが金融取引を開始および／または完了することを可能にするために、前記デバイスの少なくとも１つのユーザインターフェースを変更することである、
又は、施錠された、または他の方法により安全な、ドアの解錠である、請求項２４に記載のシステム。
【請求項２６】
前記少なくとも１つのシンボリック値の少なくとも１つは、前記システムで実行される少なくとも１つのアプリケーションの少なくとも１つの挙動の少なくとも１つの態様を変更することができるコマンドの前記識別子である、
又は、少なくとも１つの色である、又は、少なくとも１つのＲＧＢ値である、請求項１に記載のシステム。
【請求項２７】
少なくとも１つの必要条件が満たされている場合、および満たされている場合にのみ、前記少なくとも１つのシンボリック値が、前記少なくとも１つのプロセッサに入る、請求項１に記載のシステム。
【請求項２８】
前記少なくとも１つの必要条件の少なくとも１つが、前記最後の少なくとも１つのシンボリック値の少なくとも１つが処理されてから少なくとも最小限の時間が経過したことである、
又は、少なくとも１つのシンボリック値が成功裏にマッピングされてから少なくとも最小限の時間が経過したことである、
前記少なくとも１つのシンボリック値の少なくとも１つと同じか、または同等の少なくとも１つのシンボリック値を処理してから少なくとも最小限の時間が経過したことである、請求項２７に記載のシステム。
【請求項２９】
前記少なくとも１つのコンピューティングデバイスの前記少なくとも１つのコンポーネントおよび／または挙動の前記変更は、少なくとも１つのディスプレイの少なくとも１つの画面上の少なくとも１つのピクセルの変更を含む、
又は、少なくとも１ビットの情報を少なくとも１つの他のコンピューティングデバイスに送信することを含む、
又は、前記システム内の少なくとも１ビットのメモリを変更することを含む、
又は、少なくとも１つの他のコンピューティングデバイス内の少なくとも１ビットのメモリを変更することを含む、
又は、少なくとも１つの音声を放出することを含む、
又は、前記システム内の少なくとも１つのパラメータを修正することを含む、
又は、少なくとも１つの他のコンピューティングデバイス内の少なくとも１つのパラメータを修正することを含む、
又は、少なくとも１つのシステム固有コマンドを実行することを含む、
又は、前記システムのメモリ内で少なくとも１つのパスワードを構成することを含む、
又は、前記システムのメモリ内で少なくとも１つのパスフレーズまたは暗号化キーを構成することを含む、請求項１に記載のシステム。
【請求項３０】
前記少なくとも１つの測定値の少なくとも１つが不明確であると判定した場合、前記変換回路が、前記少なくとも１つのシンボリック値の前記システムの生成および／または入力を中止するよう構成される、請求項１に記載のシステム。
【請求項３１】
前記不明確性は、画像内の不鮮明さである、請求項３０に記載のシステム。
【請求項３２】
少なくとも１つのセンサを使用して、ユーザの顔、頭、首、および／または肩の内に少なくとも部分的に位置する特定の筋肉が収縮する程度を測定し、それによって、複数の筋肉の固有測定値を導出することと、
前記筋肉の固有測定値のそれぞれを量子化することと、
前記量子化された筋肉の固有測定値を、量子化された筋肉収縮の各固有の組み合わせに対する固有の合成数に組み合わせることと、
前記合成数を状況固有シンボリック値に変換することと、
前記状況固有値を使用して、デジタル情報のファイルまたはバッファ内の少なくとも１ビットを修正し、および／または少なくとも１つのコンピューティングデバイスの挙動を修正することと、
を備える、方法。
【請求項３３】
少なくとも１人のユーザの顔、頭、首、および／または肩の幾何学的形状における少なくとも１つの変化と同時に変化する少なくとも１つの因子に関連するデータの少なくとも１つのブロックを捕捉するように構成された少なくとも１つのセンサであって、少なくとも１つの幾何学的変化は、前記少なくとも１人のユーザによる、前記少なくとも１人のユーザの少なくとも１つの神経の神経支配を介して発現し、前記少なくとも１つの神経の前記神経支配は、少なくとも１つの筋肉の収縮をもたらし、前記少なくとも１つの筋肉の前記収縮は、少なくとも１人のユーザの顔、頭、首、および／または肩の前記幾何学的形状の前記少なくとも１つの変化の前記発現に、少なくとも部分的に、寄与する、センサと、
データの前記少なくとも１つのブロックの少なくとも１つの部分から少なくとも１つの因子固有測定値を判定する手段と、
少なくとも１つの「量子化因子尺度」を生成するために、前記少なくとも１人のユーザの少なくとも１人の前記少なくとも１つの因子固有測定値の各々を量子化する手段と、
前記少なくとも１つの量子化因子尺度を少なくとも１つのユーザ固有の「変化シグネチャ」に変換する手段と、
前記少なくとも１つの変化シグネチャを少なくとも１つの「シンボリック値」にマッピングする手段と、
前記少なくとも１つのシンボリック値を処理する手段と、
を備える、システム。